(57)【要約】【課題】冷蔵庫の前面における操作部表面の汚染を低減し、冷蔵庫の操作性及び清掃性を向上させる。【解決手段】冷蔵庫は、前方に開口を有する貯蔵室と、開口を開閉する開閉部と、開閉部の外壁に設けられた透光性及び絶縁性を有する平板部と、平板部の表面内の第１領域の裏側に設けられ、第１領域の静電容量の変化を検出する検出部と、第１領域を覆う膜であり、透光性を有し表面が撥油性を有する被覆部と、を備える。【選択図】図４
2014020695.tif 000002
【特許請求の範囲】
【請求項１】
前方に開口を有する貯蔵室と、
前記開口を開閉する開閉部と、
前記開閉部の外壁に設けられた透光性及び絶縁性を有する平板部と、
前記平板部の表面内の第１領域の裏側に設けられ、前記第１領域の静電容量の変化を検出する検出部と、
前記第１領域を覆う膜であり、透光性を有し表面が撥油性を有する被覆部と、
を備える冷蔵庫。
【請求項２】
前記被覆部の表面における油の接触角は、８０度以上である、
請求項１に記載の冷蔵庫。
【請求項３】
前記平板部は、ガラスにより形成されて、前記被覆部は、含フッ素ポリマーにより形成されて、前記被覆部の表面は、撥水性を有する、
請求項１又は２に記載の冷蔵庫。
【請求項４】
更に、前記平板部の表面内の第２領域の裏側に設けられ、前記検出の結果に基づいて第２領域を照明する照明部を備え、
前記被覆部は、前記第２領域を覆う、
請求項１乃至３の何れか一項に記載の冷蔵庫。
【請求項５】
更に、前記第１領域の裏側に設けられ、前記検出の結果に基づく情報を表示する情報表示部を備える、
請求項１乃至４の何れか一項に記載の冷蔵庫。
【発明の詳細な説明】
【技術分野】
【０００１】
本発明は、冷蔵庫に関する。
【背景技術】
【０００２】
冷蔵庫の扉前面板に静電容量型のタッチスイッチを有するものが知られている（例えば、特許文献１）。このような冷蔵庫は、透光性を有するガラス等の扉前面板の一部に操作部が設けられ、扉前面板に対し操作部の裏側に設けられ静電容量の変化を検出する検出部と、操作モードを表示する表示部と、表示部を後方から照射する照明とを有する。
【先行技術文献】
【特許文献】
【０００３】
【特許文献１】特開２０１１−５８７８７号公報
【発明の概要】
【発明が解決しようとする課題】
【０００４】
しかしながら、扉前面板の表面、すなわち操作部表面はガラスであるため、ガラス表面の性質である親水性を有する。従って、このような操作部表面には、指紋が堆積しやすい。
【０００５】
タッチスイッチの操作部は、半導体基板上に２次元アレイ状に配列された電極群と誘電体層とをその順に積層して構成されており、誘電体層となる操作部のガラス表面に指が当接することにより誘電体層と電極との間に形成される静電容量を、電気的に検出する。操作部のガラス表面に、以前に接触した指先からの油分が付着していたり、浮遊している塵芥が堆積または付着していたりすると、微小な静電容量を検出できず、操作を正確に検知することができなくなる。従って、操作部のガラス表面の汚染は、操作を正確に行ううえで問題となる。
【０００６】
また、扉前面板が一枚ガラスであり、その表面が滑らかで、その表面の一部が操作部になっている場合、指紋などによる汚染は意匠上からも好ましくない。
【０００７】
このような問題に対し、現状では使用者がガラス表面の汚染に気がついたときに拭き洗浄する以外に有効な対策がない。このとき、一度の拭き取りは汚染を伸ばすことになり、何回かの拭き取りの往復動作が必要になる。また、冷蔵庫であるため、指紋のほか、食品や水が付着した手によるタッチスイッチ操作が行われる場合や、台所に置かれるため、調理中の油分などが操作部に付着する場合がある。さらに操作部には、洗剤や化粧品などの化学物質に対する耐性も要求される。
【０００８】
本発明は、上記の課題に鑑みてなされたものであり、冷蔵庫の前面における操作部表面の汚染を低減し、冷蔵庫の操作性及び清掃性を向上させる技術を提供することを目的とする。
【課題を解決するための手段】
【０００９】
上記課題を解決するために、本発明の一態様である冷蔵庫は、前方に開口を有する貯蔵室と、前記開口を開閉する開閉部と、前記開閉部の外壁に設けられた透光性及び絶縁性を有する平板部と、前記平板部の表面内の第１領域の裏側に設けられ、前記第１領域の静電容量の変化を検出する検出部と、前記第１領域を覆う膜であり、透光性を有し表面が撥油性を有する被覆部と、を備える。
【発明の効果】
【００１０】
本発明によれば、冷蔵庫の前面における操作部表面の汚染を低減し、冷蔵庫の操作性及び清掃性を向上させることができる。
【図面の簡単な説明】
【００１１】
【図１】本発明の一実施例に係る冷蔵庫の正面図である。
【図２】表示部及び操作部を拡大した正面図である。
【図３】左冷蔵室扉の反ヒンジ側面を示す右側面図である。
【図４】左冷蔵室扉の断面図である。
【図５】透光保護層の構造及び形成方法を示す模式図である。
【発明を実施するための最良の形態】
【００１２】
以下、本発明の一実施例である冷蔵庫について、図面を参照しながら詳細に説明する。
【００１３】
図１は、本発明の一実施例に係る冷蔵庫本体の正面図である。図２は、Ｐ部の正面図である。図２は、図１におけるＰ部を拡大した図である。図３は、左冷蔵室扉の反ヒンジ側面を示す右側面図である。図４は、左冷蔵室扉の断面図である。図４は、図１における冷蔵庫本体のＡ−Ａ矢視断面を示す。
【００１４】
図１において、１は冷蔵庫本体である。冷蔵庫本体１は、上から順に冷蔵室２ｄ、冷凍室４ｄ１、野菜室５ｄ等を有している。冷蔵室２ｄと冷凍室４ｄ１との間には、急冷凍室４ｄ２が設けられて、急冷凍室４ｄ２の左隣に製氷室４ｄ３が設けられている。
【００１５】
また、各貯蔵室には、前方開口を開閉する扉が設けられている。すなわち、冷蔵室２ｄの前方開口には、左冷蔵室扉２ａ及び右冷蔵室扉２ｂが設けられ、冷凍室４ｄ１、急冷凍室４ｄ２、製氷室４ｄ３及び野菜室５ｄの前方開口には、冷凍室扉４ｂ、急冷凍室扉４ｃ、製氷室扉４ａ及び野菜室扉５が夫々設けられている。
【００１６】
左冷蔵室扉２ａ及び右冷蔵室扉２ｂは、夫々冷蔵庫本体１の上部に設けられた上ヒンジ３（左ヒンジ３ａ、右ヒンジ３ｂ）等によって、回転自在に軸支されている。すなわち、観音開き式に構成された、いわゆるフレンチドアを構成している。
【００１７】
また、冷凍室扉４ｂ、急冷凍室扉４ｃ、製氷室扉４ａ及び野菜室扉５は、夫々引き出し式の扉であって、夫々の貯蔵室の容器とともに引き出し自在である。
【００１８】
そして、左冷蔵室扉２ａ及び右冷蔵室扉２ｂ、冷凍室扉４ｂ、急冷凍室扉４ｃ、製氷室扉４ａ並びに野菜室扉５は、その外壁の鉛直面上に透光性を有する平板状のガラス板６ａが設けられている。
【００１９】
扉前面板６であるガラス板６ａの板厚は、本実施例では２ｍｍから３．５ｍｍである。この板厚は、冷蔵庫組み立て時、冷蔵庫移送時、及び冷蔵庫使用時等に生じる衝撃によってガラス板６ａが割れたり、亀裂が生じたりしない寸法である。また、さらに強度を確保する場合や板厚を薄くする場合等には、ガラス板６ａに熱強化処理や化学強化処理等を施してもよい。なお、ガラス板６ａは絶縁体である。
【００２０】
図２において、９は操作部である。操作部９は、ガラス板６ａの表面の一部である。図４に示すように、操作部９の裏側には、操作部９の静電容量の変化を検出する検出部１４が設けられている。冷蔵室２ｄ及び冷凍室４ｄ１等の各貯蔵室の室温を設定したり、冷蔵室２ｄや冷凍室４ｄ１を急速に冷却したり、製氷の大きさを設定したりするために、使用者は、外部から操作部９を操作する。また、冷蔵室２ｄに設けられ、貯蔵空間を減圧或いは低酸素状態にして、貯蔵食品の鮮度維持や酸化劣化の抑制を図る貯蔵室（図示なし）の温度を調節したり、減圧或いは低酸素化の機能を切るように設定したりしても良い。すなわち、使用者が操作部９を操作することで、冷蔵庫の諸機能の設定ができる。
【００２１】
また、図２において、１０は表示部である。表示部１０は、ガラス板６ａの表面の一部である。図４に示すように、表示部１０の裏側には、表示部１０を照明するＬＥＤ発光部１３が設けられている。表示部１０及びＬＥＤ発光部１３は、操作部９における操作結果に基づいて表示する。これにより、使用者は、操作部９の操作結果を確認したり、先に設定されている諸機能の状態を確認したりすることができる。
【００２２】
操作部９及び表示部１０は、特別なパネルを取り付けたものではなく、ガラス板６ａに設けられている。すなわち、左冷蔵室扉２ａに設けられたガラス板６ａは、操作部９及び表示部１０を含めて、該左冷蔵室扉２ａの外表面全体に亘って平面になるように設けられている。操作部９及び表示部１０がガラス板６ａである扉前面板６の一部であるため、従来の操作パネルは省略されている。
【００２３】
次に、図２を参照しながら、操作部９及び表示部１０についてさらに詳細に説明する。
【００２４】
図２において、破線で囲まれた領域は、使用者の指によりタッチされる操作部９である。この領域内の文字（冷凍、冷蔵、製氷、急冷、及び真空チルドの各文字）の表示は、ガラス板６ａのうち、操作部９の裏面の領域に直接印刷等により表わされたものである。なお、ガラス板６ａの裏面に操作用表示（上記文字部分）を設ける手段としては、印刷の他、エッチングや象嵌等が挙げられる。
【００２５】
また、図２において、実線で囲まれた領域は、上述の操作部９の操作による入力に伴い、諸機能の設定状態を示す表示部１０である。そして、この領域内の文字（「強（低温）、中、弱」、「強（チルド）、中、弱」、「大きめ、標準、停止」、「急冷蔵、急冷凍」、「真空氷温、真空チルド、切（氷温）」の各文字）の表示は、ガラス板６ａの裏側に設けられたフィルムのうち、表示部１０の裏側に対向する領域に印刷等で表わされている。
【００２６】
フィルム１６は、扉前面板６であるガラス板６ａの裏面に密着するように、或いはガラス板６ａの裏面との隙間がごく僅かになるように取り付けられている。そのため、ガラス板６ａを透過して、左冷蔵室扉２ａの正面から、明確にその文字表示を確認することができる。すなわち、視認性が高く、かつ平面なガラス板６ａで扉前面板６が構成されることにより、外観性の優れた扉前面板６を構成している。
【００２７】
また、操作部９及び表示部１０は、図２に示す如く上下に併設されている。表示部１０には、冷蔵庫本体１の持つ機能として、急冷蔵や急冷凍が動作中である旨等が表示されるよう構成されている。
【００２８】
更に、表示部１０の文字表示は、ＬＥＤ（発光ダイオード）発光部１３等により照明されて、ガラス板６ａの表示部１０前面まで投影されることにより、使用者から文字表示が浮き上がって見えるように構成されている。
【００２９】
図３において、１１は左冷蔵室扉２ａの扉枠２ｃ側面の開口を塞ぐように設けられた蓋である。蓋１１は、左冷蔵室扉２ａの反ヒンジ側に設けられ、右冷蔵室扉２ｂに隣り合う位置に設けられている。この構成において、左冷蔵室扉２ａ及び右冷蔵室扉２ｂが閉じている場合、蓋１１は使用者から見えないようになっている。
【００３０】
図４において、２ａは左冷蔵室扉、６は扉前面板、７は発泡断熱材、８は扉内板、１２は基板組品である。発泡断熱材７は、ガラス板６ａから成る扉前面板６と、冷蔵室２ｄの内壁を成す扉内板８との間に充填発泡される。基板組品１２は、表示部１０を照明するＬＥＤ発光部１３、静電容量の変化を検出する検出部１４、判定部（図示せず）やマイコンを含む自動制御部（図示せず）等を備えている基板１５、表示文字が印刷されたフィルム１６、基板ケース１７等により構成されている。検出部１４は、基板１５の表側に設けられている。ＬＥＤ発光部１３は、基板１５の裏側に設けられている。
【００３１】
左冷蔵室扉２ａの扉枠２ｃ側面の蓋１１により塞がれた開口から、ガラス板６ａとケースカバー１８によって形成された空間２６内に基板組品１２を挿入し、基板ケース１７に設けられたスライド部材２０を、ケースカバー１８内のガイド溝内をスライドさせて、基板組品１２をケースカバー１８内に組み込む。基板ケース１７の底面に設けられた係止部２３は、樹脂製の基板ケース１７と一体に設けられている。係止部２３がストッパー２７に係止することにより、検出部１４がフィルム１６を介してガラス板６ａに密着或いは近接した状態で、基板組品１２が固定される。
【００３２】
基板１５及び検出部１４は、それらの表面（前面）がフィルム１６で覆われ、裏面（後面）が基板ケース１７で覆われている。フィルム１６は、検出部１４に密着している。また、フィルム１６は、ＬＥＤ発光部１３の光を、裏面から表面に透過させてガラス板６ａ側に透過させる。
【００３３】
検出部１４は、左冷蔵室扉２ａ内へ組込まれると、操作部９に対向するものである。すなわち、図４に示すように、フィルム１６を介して、操作部９の裏側に検出部１４が位置するように設けられる。
【００３４】
なお、基板１５内の判定部（図示せず）は、操作部９と検出部１４との間の静電容量変化を検出する。静電容量に変化がある場合、当該静電容量の変化に応じて発振し、振幅が変化する発振回路を含んでいる。これにより、基板１５内の自動制御部は、判定部が出力するスイッチ信号やオン／オフ信号に基づいて、負荷を駆動させる。なお、単に操作部９の前を使用者が通ったり、冷蔵庫前面（左冷蔵室扉２ａ）を使用者が掃除のために拭いたりする動作等によっては、判定部はスイッチ信号やオン／オフ信号を出力しない。
【００３５】
冷蔵庫の扉前面板６を構成するガラス板６ａは、絶縁体であり、且つ透光性の板材（平板）である。そして、ガラス板６ａ前面の一部を操作部９とすべく、ガラス板６ａの操作部９の裏面に、印刷等で表わされた文字で操作部９の操作位置及び操作内容が表示されている。
【００３６】
検出部１４は、フィルム１６を介して操作部９の裏側に近接するように設けられている。操作部９に併設して設けられている表示部１０のための文字表示は、フィルム１６の表面に印刷等で表わされている。
【００３７】
そして、表示部１０のためのフィルム１６上の文字表示は、基板１５上に設けられたＬＥＤ発光部１３により、裏面から照らされて表示部１０に明示される。基板１５のうち表示部１０の裏側に対向する部分は、その一部を切り欠いた形状をなしており、その裏側に設けられたＬＥＤ発光部１３が当該切り欠き部分から表示部１０に臨むように設けられる。更に、操作部９に手や指が触れると、検出部１４が、ガラス板６ａとの間の静電容量の変化を感知して、基板１５上の判定部に知らせる。検出部が静電容量の変化を検出した時、基板上の判定部を介して、自動制御部で負荷を動作させてＬＥＤ発光部１３のオン／オフを制御する。例えば、ガラス板６ａを通して前面に見える文字部分の操作部９に、使用者が指等を触れると、検出部１４がこれを検出する。すると、判定部及び自動制御部が動作し、例えば急冷蔵が指示された場合、表示部１０の「急冷蔵」の文字部分を照らすべく点灯する。そして、判定部が操作部９への入力を検出すると、自動制御部は負荷を動作させる。
【００３８】
ここで、自動制御部により制御される負荷とは、急冷の場合、冷凍サイクルの強制連続運転、冷気循環ファン（図示なし）の強制連続運転、若しくは冷気供給量を制御するダンパーの強制「開」制御等である。これらの負荷を制御することにより、冷蔵室２ｄを急冷蔵としたり、冷凍室４ｄ１を急冷凍したりする。
【００３９】
判定部が静電容量の変化を判定した際、基板１５に備えられたブザーが報知音を発するとともに、自動制御部による制御内容の変化に伴い報知音に音階をつけても良い。
【００４０】
上記を具体的に、図２を用いて説明する。冷蔵室２ｄ又は冷凍室４ｄ１の温度を「強、中、弱」の夫々の設定に調整する場合、本実施例では、以下のサイクルにて報知音に音階をつける。
【００４１】
「弱（低音『ド』）→中（中音『ミ』）→強（高音『ソ』）→弱（低音『ド』）→…」これにより文字を視認できない使用者が操作を行った場合であっても、上記音階の差異によって温度設定を確認することができる。
【００４２】
また、急冷凍や急冷蔵等の選択付加機能の要求が操作部９に入力された際、以下のサイクルにて報知音に音階及び報知回数を変化させる。
【００４３】
「急冷凍（低音『ド』）→急冷蔵（中音『ミ』）→急冷凍及び急冷蔵（高音『ソ』）→停止（高音２回『ラ、ラ』）→急冷凍（低音『ド』）…」。
【００４４】
特に、付加機能無し（選択付加機能の停止）を選択した場合、上記のように、報知音回数を複数回とすることにより、視覚によって認識しなくても、使用者が聴覚によって容易に設定内容を確認することができる。
【００４５】
図４において、１８はケースカバーである。ケースカバー１８は、基板組品１２を発泡断熱材７から隔離する役目を果たす。また、基板１５表面のフィルム１６が、扉前面板６であるガラス板６ａに密接若しくは近接するように、基板組品１２をケースカバー１８内に保持する役目を果たす。
【００４６】
１９はガラス板６ａの裏面に施された有色塗料面を示す。有色塗料面１９は、ガラス板６ａの表示部１０を除く裏面全域に設けられている。これにより、発泡断熱材７が正面側より見えないように処理されて、かつ表示部１０は明確に視認されるので、外観性の優れた扉を構成している。
【００４７】
１９ａは保護フィルムである。保護フィルム１９ａは、ガラス板６ａの裏面（有色塗料面１９と同じ面）に貼られている。保護フィルム１９ａは、ガラス板６ａに大きな衝撃が加えられてガラスが割れた場合や亀裂が入った場合であっても、周囲に飛び散らないよう保護している。
【００４８】
また、基板組品１２の長手方向と、ガラス板６ａの長手方向は、交差するように配設されている。これは、ガラス板６ａに熱処理を加えた場合、ガラス板６ａの歪は長手方向に現れやすい性質に基づく。すなわち、この性質に鑑みて基板組品１２をガラス板６ａに設置することにより、設置によるガラス板６ａの歪の影響を抑制する。
【００４９】
ここで、ガラス板６ａの長手方向に、基板組品１２の長手方向が沿うように組み込んだ場合、ガラス板６ａの歪の影響を受け、ガラス板６ａと基板１５上の検出部１４との間に隙間が生じやすくなる。これにより、操作部９における入力内容が、検出部１４にうまく伝わらない、という問題を生じる。そこで、本実施例では、基板組品１２の長手方向はガラス板の長手方向に交差する方向に配設されている。
【００５０】
また、冷蔵庫の左冷蔵室扉２ａの表面を１枚のガラス板６ａとすることにより、製造原価を低減することができる。なお、ガラス板６ａと検出部１４の間の隙間は、ガラス板６ａの歪を含め０．２ｍｍ以下とする必要がある。０．２ｍｍ以上の隙間が生じた場合、操作部９の表面における入力内容が、検出部１４にうまく伝わらない、という問題を生じる。
【００５１】
前述のように、基板組品１２は、冷蔵庫本体１の最上部に設けられた冷蔵室２ｄの扉、すなわち左冷蔵室扉２ａに設けられている。この高さ位置は、小さな子供の手が届かない位置である。また、使用者にとって見やすく操作し易い位置となる。
【００５２】
さらに、本実施例の場合、操作部９及び表示部１０が従来の如く扉前面板６より突出していない。これにより、小さな子供は操作部９及び表示部１０がそこにあること自体を認識し難い。すなわち、子供による悪戯操作を低減できる。
【００５３】
なお、操作部９及び検出部１４や、表示部１０及びＬＥＤ発光部１３は、右冷蔵室扉２ｂ、冷凍室扉４ｂ、急冷凍室扉４ｃ、製氷室扉４ａ、野菜室扉５の何れかの前面に設けられても良い。
【００５４】
なお、表示部１０の文字表示及びＬＥＤ発光部１３は、検出部１４の裏側に設けられても良い。また、表示部１０及びＬＥＤ発光部１３の代わりに、検出部１４の検出結果に基づく情報を表示する情報表示部が設けられても良い。情報表示部は例えば、ＬＣＤ（Liquid Crystal Display）や有機ＥＬ（Electroluminescence）ディスプレイ等である。
【００５５】
図４において、さらに、ガラス板６ａの表面には、撥水性及び撥油性を有する透光保護層３４が、操作部９及び表示部１０を覆うように設けてある。操作部９及び検出部１４により構成される操作パネルはタッチセンサー式であるため、もしガラス板６ａの一部である操作部９が露出しているとすると、汚染物が操作部９の表面に付着して表面に広がりやすい。汚染物は、指紋、手への付着物、油煙、埃等や、それらの組み合わせである。汚染物の付着を抑える透光保護層３４が操作部９を覆うことにより、汚染物の付着による検出部１４の誤検出を低減することができる。また、透光保護層３４が表示部１０を覆うことにより、汚染物の付着及び広がりによる表示の見難さを低減することができる。また、透光保護層３４上に堆積して目立つようになった汚染物を簡単に拭き取り作業で除去することが出来、誤操作防止とともに、冷蔵庫扉面の清掃性が向上できる。なお、透光保護層３４は、ガラス板６ａの表面のうち操作部９だけを覆っていても良いし、ガラス板６ａの表面全体を覆っていても良い。
【００５６】
透光保護層３４は例えば、含フッ素ポリマーにより形成される膜である。含フッ素ポリマーは、撥油性や撥水性を備えるため、指先表面の油分や水分が透光保護層３４の表面に付着することを抑える。好ましくは、透光保護層３４の表面における油の接触角は、８０度以上である。接触角は、透光保護層３４の表面を上方に向けて透光保護層３４を水平に保つ場合に、透光保護層３４の表面と透光保護層３４上の液滴の縁の接線とが成す角である。これにより、透光保護層３４の表面の洗浄を頻繁に行うことなく、長期にわたり透光保護層３４の表面を清浄に維持することができる。
【００５７】
ガラスの表面が水平面である場合、その表面に付着した汚染物は、親水性により表面に沿って水平方向に広がる。一方、透光保護層３４の表面が水平面である場合、その表面に付着した汚染物は、ガラスの表面に付着した汚染物に比べて水平方向に広がりにくい。更に、ガラス表面が鉛直面である場合、その表面に付着した汚染物は、自重により表面に沿って下方へ広がる。一方、透光保護層３４の表面が鉛直面である場合、その表面に付着した汚染物は、ガラスの表面に付着した汚染物に比べて広がりにくい。これにより、ある汚染物が透光保護層３４の表面に付着した場合とガラスの表面に付着した場合とを比較すると、透光保護層３４の表面上の汚染物の面積は、ガラスの表面上の汚染物の面積より小さくなる。
【００５８】
また、含フッ素ポリマーは、耐光性、耐水性、化学物質などに対する耐性が高く、また機械的強度も高いため、損傷にも強い。
【００５９】
透光保護層３４が厚くなると、使用者が指先を透光保護層３４に押し当てた際に静電容量が形成され難くなる。十分な静電容量を確保するために、透光保護層３４の厚さは１μｍ以下であることが好ましく、０．１〜１００ｎｍであることがより好ましい。このような薄い膜を容易に形成するには、含フッ素ポリマーを溶媒に溶解して塗工する方法で形成することが好ましい。即ち、透光保護層３４を形成する含フッ素ポリマーは、溶媒可溶性を有することが好ましい。蒸着による成膜も考えられるが、蒸着に要する高温設備は高価であり、加工費がかかるため、塗工による成膜が好ましい。
【００６０】
また、含フッ素ポリマーは、薄膜化された後に溶媒不溶性化された含フッ素ポリマーであってもよい。例えば、溶媒可溶性含フッ素ポリマーの薄膜を形成した後に熱や光で架橋して溶媒不溶性の含フッ素ポリマーに変換してもよい。この場合、架橋性基を有する溶媒可溶性含フッ素ポリマーと架橋剤とを含む組成物を薄膜化するとともに架橋反応を行って架橋された含フッ素ポリマーの薄膜を形成してもよい。また、フッ素含有モノマーやそのオリゴマーなどであって、重合して含フッ素ポリマーとなりうる化合物を誘電体層表面で重合することにより、含フッ素ポリマーの薄膜を形成することができる。例えば、フッ素含有オルガノアルコキシシランを誘電体層表面で加水分解縮合重合させることにより、誘電体層表面にフッ素含有オルガノポリシロキサンの薄膜を形成することができる。
【００６１】
加工する基材であるガラス板６ａが、高い親水性を有し、その表面に多くのＯＨ基を既に持っていることから、含フッ素ポリマーは、フルオロポリマーの疎油性及び低摩擦係数と、シリコーンの疎水性及び耐久性との相乗効果を有する、アルコキシシシラン変性パーフルオロポリエーテルのハイブリッドポリマーであることが、より好ましい。
【００６２】
図５は、透光保護層３４の構造及び形成方法を示す模式図である。この図に示すように、反応性アルコキシシラン末端基は、加水分解（Ｓ１０）および縮合反応（Ｓ２０）を経て基材であるガラス表面と強く共有結合し、撥水効果および撥油効果の高い表面を形成する。具体的な加工操作としては、ガラス表面を清浄にした加工ガラスを、適正な濃度に調整したアルコキシシシラン変性パーフルオロポリエーテルのハイブリッドポリマー溶剤に浸漬、または一部塗布し、室温で８時間または温度５０℃、相対湿度５０％下で１時間乾燥により加水分解および縮合反応を進行させる。加水分解および縮合反応が終了した後、余分な溶剤を洗浄、乾燥すれば、撥水効果および撥油効果の高い表面を形成できる。これは共有結合による層の形成であるため、１μｍ以下、好ましくは０．１〜１００ｎｍ程度の薄い層を形成することが出来、高温乾燥や蒸着を必要としないため、安価に撥水効果および撥油効果の高い表面を製作することが出来る。
【００６３】
以上の実施例で説明された技術は、次のように表現することができる。
（表現１）
前方に開口を有する貯蔵室と、
前記開口を開閉する開閉部と、
前記開閉部の外壁に設けられた透光性及び絶縁性を有する平板部と、
前記平板部の表面内の第１領域の裏側に設けられ、前記第１領域の静電容量の変化を検出する検出部と、
前記第１領域を覆う膜であり、透光性を有し表面が撥油性を有する被覆部と、
を備える冷蔵庫。
（表現２）
前記被覆部の表面における油の接触角は、８０度以上である、
表現１に記載の冷蔵庫。
（表現３）
前記平板部は、ガラスにより形成されて、前記被覆部は、含フッ素ポリマーにより形成されて、前記被覆部の表面は、撥水性を有する、
表現１又は２に記載の冷蔵庫。
（表現４）
更に、前記平板部の表面内の第２領域の裏側に設けられ、前記検出の結果に基づいて第２領域を照明する照明部を備え、
前記被覆部は、前記第２領域を覆う、
表現１乃至３の何れか一項に記載の冷蔵庫。
（表現５）
更に、前記第１領域の裏側に設けられ、前記検出の結果に基づく情報を表示する情報表示部を備える、
表現１乃至４の何れか一項に記載の冷蔵庫。
【００６４】
これらの表現における用語について説明する。貯蔵室は例えば、冷蔵室２ｄに対応する。開閉部は例えば、左冷蔵室扉２ａに対応する。平板部は例えば、ガラス６ａに対応する。被覆部は例えば、透光保護層３４に対応する。第１領域は例えば、操作部９に対応する。第２領域は例えば、表示部１０に対応する。照明部は例えば、ＬＥＤ発光部１３に対応する。
【００６５】
なお、本発明は、上述した実施の形態に限定されない。当業者であれば、本発明の範囲内で、種々の追加や変更等を行うことができる。
【符号の説明】
【００６６】
１：冷蔵庫本体、  ２ａ：左冷蔵室扉、  ２ｂ：右冷蔵室扉、  ２ｄ：冷蔵室、  ４ａ：製氷室扉、  ４ｂ：冷凍室扉、  ４ｃ：急冷凍室扉、  ４ｄ１：冷凍室、  ４ｄ２：急冷凍室、  ４ｄ３：製氷室、  ５：野菜室扉、  ５ｄ：野菜室、  ６：扉前面板、  ６ａ：ガラス板、  ９：操作部、  １０：表示部、  １２：基板組品、  １３：ＬＥＤ発光部、  ３４：透光保護層
【図１】
2014020695.tif 000003
【図２】
2014020695.tif 000004
【図３】
2014020695.tif 000005
【図４】
2014020695.tif 000006
【図５】
2014020695.tif 000007